(57)【要約】【課題】ＮＧＮのように使用帯域によってその利用料金が異なるネットワークでデータを送信する際、ユーザ所望の使用帯域を容易に選択する。【解決手段】画像通信装置１０１は、ＮＧＮ１０８によって画像の送信を行う際、ＮＧＮの使用帯域の各々についてデータを送信するために要する通信時間を算出する。そして、画像通信装置は、ＮＧＮの使用帯域毎の単位時間あたりの利用料金を示す課金情報と通信時間とに応じて、データの送信に用いる使用帯域を決定する。【選択図】図１
2013115704.tif 000002
【特許請求の範囲】
【請求項１】
使用帯域によってその利用料金が異なるネットワークを用いてデータの送信を行う通信装置であって、
前記ネットワークの使用帯域毎の、単位時間あたりの利用料金を示す課金情報を取得する取得手段と、
送信するデータのサイズと前記取得手段が取得した課金情報とに応じて、前記データの送信に用いる使用帯域を決定する決定手段とを有することを特徴とする通信装置。
【請求項２】
前記決定手段は、前記ネットワークの使用帯域の各々について、前記データのサイズに基づいて当該データを送信するために要する通信時間を算出し、当該算出した通信時間と前記課金情報とに応じて、前記使用帯域の決定を行うことを特徴とする請求項１に記載の通信装置。
【請求項３】
前記決定手段は、前記通信時間と前記課金情報とに応じて前記データを送信するために要する利用料金を算出し、当該算出した利用料金に基づき前記データの送信に用いる使用帯域を決定することを特徴とする請求項２に記載の通信装置。
【請求項４】
前記決定手段は、前記利用料金が最も安価な使用帯域を、前記データの送信に用いる使用帯域として決定することを特徴とする請求項３に記載の通信装置。
【請求項５】
前記決定手段によって前記使用帯域が決定された後、宛先通信装置とのセッションを確立するセッション確立手段と、
前記セッション確立によって前記宛先通信装置から前記データの送信に関する送信パラメータ情報を取得するパラメータ取得手段と、
前記送信パラメータ情報に応じて前記データの構成を変更する構成変更手段とを有し、
前記構成変更手段によって前記データの構成が変更されると、前記決定手段は、当該変更に応じて前記使用帯域を変更するか否かを判定することを特徴とする請求項１〜４のいずれか１項に記載の通信装置。
【請求項６】
前記セッション確立手段は、ＳＩＰによってセッション確立を行うことを特徴とする請求項５に記載の通信装置。
【請求項７】
前記ネットワークは、次世代ネットワーク（ＮＧＮ：Ｎｅｘｔ  Ｇｅｎｅｒａｔｉｏｎ  Ｎｅｔｗｏｒｋ）であることを特徴とする請求項１〜６のいずれか１項に記載の通信装置。
【請求項８】
使用帯域によってその利用料金が異なるネットワークを用いてデータの送信を行う通信装置の制御方法であって、
前記ネットワークの使用帯域毎の、単位時間あたりの利用料金を示す課金情報を取得する取得ステップと、
送信するデータのサイズと前記取得ステップで取得した課金情報とに応じて、前記データの送信に用いる使用帯域を決定する決定ステップとを有することを特徴とする制御方法。
【請求項９】
使用帯域によってその利用料金が異なるネットワークを用いてデータの送信を行う通信装置で用いられる制御プログラムであって、
前記通信装置が備えるコンピュータに、
前記ネットワークの使用帯域毎の、単位時間あたりの利用料金を示す課金情報を取得する取得ステップと、
送信するデータのサイズと前記取得ステップで取得した課金情報とに応じて、前記データの送信に用いる使用帯域を決定する決定ステップとを実行させることを特徴とする制御プログラム。
【発明の詳細な説明】
【技術分野】
【０００１】
本発明は、通信装置、その制御方法、および制御プログラムに関し、特に、使用帯域によってその利用料金が異なるネットワークでデータを送信する通信装置に関する。
【背景技術】
【０００２】
一般に、回線交換式の電話回線網を、ＩＰ（Ｉｎｔｅｒｎｅｔ  Ｐｒｏｔｏｃｏｌ）をベースにしたネットワークに置き換える所謂次世代ネットワーク（ＮＧＮ：Ｎｅｘｔ  Ｇｅｎｅｒａｔｉｏｎ  Ｎｅｔｗｏｒｋ）が知られている。そして、ＮＧＮを用いてサービスを提供する技術が普及しつつある。
【０００３】
ＮＧＮでは、ネットワーク自体に帯域補償機能およびセキュリティ機能が備えられている。このＮＧＮはＳＩＰ（Ｓｅｓｓｉｏｎ  Ｉｎｉｔｉａｔｉｏｎ  Ｐｒｏｔｏｃｏｌ）を用いて電話サービス、映像通信サービス、およびデータ通信サービス等を統合的に実現するＩＰネットワークである。そして、ＮＧＮでは、通信毎に異なる通信料（利用料金）が設定された伝送速度を選択することが可能となる。
【０００４】
ここでは、伝送容量（転送可能なビットレート）を使用帯域ということがある。つまり、使用帯域をビット／秒で表すことがある。
【０００５】
一方、ＳＩＰ用に確立した呼接続用チャネルと同一チャネルを使用してＴ．３８データ転送を行うようにした通信端末装置が知られている（特許文献１参照）。
【先行技術文献】
【特許文献】
【０００６】
【特許文献１】特開２００５−８６７２４号公報
【発明の概要】
【発明が解決しようとする課題】
【０００７】
ところで、ＮＧＮなどのように、使用帯域、つまり、伝送速度によってその利用料金が異なるネットワークでデータなどの情報を送信する際には、ユーザはどのように使用帯域を選択すれば、送信に掛かる料金を安くできるか容易に判断することができない。つまり、ユーザにとっては、所望の使用帯域を選択するための基準が存在せず、このため、ユーザはどのようにして使用帯域を選択すればよいか分からないという問題点がある。
【０００８】
従って、本発明の目的は、使用帯域によってその利用料金が異なるネットワークでデータを送信する際、ユーザ所望の使用帯域を容易に選択することのできる通信装置、その制御方法、および制御プログラムを提供することにある。
【課題を解決するための手段】
【０００９】
上記の目的を達成するため、本発明による通信装置は、使用帯域によってその利用料金が異なるネットワークを用いてデータの送信を行う通信装置であって、前記ネットワークの使用帯域毎の、単位時間あたりの利用料金を示す課金情報を取得する取得手段と、送信するデータのサイズと前記取得手段が取得した課金情報とに応じて、前記データの送信に用いる使用帯域を決定する決定手段とを有することを特徴とする。
【発明の効果】
【００１０】
本発明によれば、ＮＧＮのように使用帯域によってその利用料金が異なるネットワークでデータなどの情報を送信する際、ユーザ所望の使用帯域を容易に選択することができる。
【図面の簡単な説明】
【００１１】
【図１】本発明の実施の形態による画像通信装置が用いられたネットワークシステムの一例を示す図である。
【図２】図１に示すＮＧＮにおける使用帯域（伝送速度）と課金情報との関係が規定された課金テーブルの一例を示す図である。
【図３】図１に示す画像通信装置のハードウェア構成についてその一例を示すブロック図である。
【図４】図３に示す画像通信装置１０１で行われる送信処理の一例を説明するためのフローチャートである。
【図５】図３に示す画像通信装置においてＳＩＰセッション確立の際の処理を説明するためのシーケンス図であり、（ａ）はオファーＳＤＰを含むＳＩＰ接続要求メッセージを送信してＳＩＰセッションを確立する際のシーケンス図、（ｂ）はオファーＳＤＰを含まないＳＩＰ接続要求メッセージを送信してＳＩＰセッションを確立する際のシーケンス図である。
【図６】図３に示す画像処理装置で行われる送信処理の他の例を説明するためのフローチャートである。
【図７】図３に示す通信処理装置においてＩＴＵ−Ｔ勧告Ｔ．３８によるファクシミリ通信を宣言する際のＳＤＰのメディアストリームの記述の一例を示す図である。
【発明を実施するための形態】
【００１２】
以下、本発明の実施の形態による通信装置の一例について図面を参照して説明する。なお、以下の説明では、通信装置の一つであり、マルチメディアデータの送信が可能な画像通信装置を例に挙げて説明する。
【００１３】
図１は、本発明の実施の形態による画像通信装置が用いられたネットワークシステムの一例を示す図である。
【００１４】
図１において、次世代ネットワーク（ＮＧＮ：Ｎｅｘｔ  Ｇｅｎｅｒａｔｉｏｎ  Ｎｅｔｗｏｒｋ）１０８には、ＳＩＰ（Ｓｅｓｓｉｏｎ  Ｉｎｉｔｉａｔｉｏｎ  Ｐｒｏｔｏｃｏｌ）サーバ１０４、ホームゲートウェイ（ＨＧＷ）１０５および１０６、およびメディアゲートウェイ（メディアＧＷ）１０７が接続されている。そして、メディアＳＷ１０７はＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆交換電話網）１０９を介して画像通信装置１０３に接続される。
【００１５】
また、ＨＧＷ１０５および１０６にはそれぞれＣＳＭＡ／ＣＤ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）インタフェース１１０および１１１を介して画像通信装置１０１および１０２が接続される。
【００１６】
ＮＧＮ１０８では、異なる通信料（利用料金）が設定された複数の使用帯域（つまり、伝送速度）を有し、ＮＧＮ１０８でデータを送信する際にはユーザは所望の使用帯域を選択する。つまり、ＮＧＮ１０８は、データ送信の際の使用帯域によってその利用料金が異なるネットワークである。以下の説明では、伝送容量又は伝送速度（転送可能なビットレート）を使用帯域ということがある。つまり、使用帯域をビット／秒で表すことがある。
【００１７】
ＳＩＰサーバ１０４は、ＩＰ電話サービス又はＩＰファクシミリ通信において呼接続処理を行うため、電話番号とＩＰアドレスとの変換などのＳＩＰ（Ｓｅｓｓｉｏｎ  Ｉｎｉｔｉａｔｉｏｎ  Ｐｒｏｔｏｃｏｌ）サービスを実行する。
【００１８】
ＨＧＷ１０５および１０６は、それぞれＮＧＮ１０８と画像通信装置１０１および１０２とを中継するためのものである。ＨＧＷ１０５および１０６の各々は、ＩＴＵ−Ｔ勧告Ｔ．３８のデジタルファクシミリ手順によるファクシミリ通信およびＩＴＵ−Ｔ勧告Ｔ．３０のデジタルファクシミリ手順によるファクシミリ通信（みなし音声によるＴ．３０  ファクシミリ通信）を行うインタフェースである。
【００１９】
メディアＧＷ１０７は、ＮＧＮ１０８とＰＳＴＮ１０９を接続するため、回線業者又はネットワーク業者により設置される。メディアＧＷ１０７は、例えば、音声信号およびＩＰパケットの間でデジタル／アナログ変換を行う。さらに、メディアＧＷ１０７はＰＳＴＮ１０９に接続された加入者端末（例えば、音声端末：図示せず）に対する発呼を制御する。
【００２０】
図示の例では、画像通信装置１０３は、Ｇ３アナログファクシミリ装置であり、ＩＴＵ−Ｔ勧告Ｔ．３０のアナログファクシミリ手順によってファクシミリ通信を行う。
【００２１】
図２は、図１に示すＮＧＮにおける使用帯域（伝送速度）と課金情報との関係が規定された課金テーブルの一例を示す図である。
【００２２】
図２において、使用帯域とは、ＮＧＮ１０８を用いてデータなどの送信を行う際に確保される補償帯域、つまり、伝送速度を表す。また、課金情報とはＮＧＮ１０８を用いて送信を行う際の課金単位を表す。図示の例では、各使用帯域において３０秒単位で（つまり、単位時間毎に）通信料（利用料金ともいう）が設定されている。
【００２３】
図示のように、使用帯域（つまり、伝送速度）として６４ｋｂｐｓ、５１２ｋｂｐｓ、および１Ｍｂｐｓが設定され、ユーザはこれらの使用帯域からいずれかの帯域を選択することができる。使用帯域６４ｋｂｐｓ、５１２ｋｂｐｓ、および１Ｍｂｐｓの課金情報は、それぞれ１．０円／３０秒、１．５円／３０秒、および２．０円／３０秒であり、従量課金が行われる。
【００２４】
図３は、図１に示す画像通信装置１０１のハードウェア構成についてその一例を示すブロック図である。なお、画像通信装置１０２は画像通信装置１０２と同様のハードウェア構成を備えている。
【００２５】
図３において、ＣＰＵ２０１はＲＯＭ２０２に格納された制御プログラムに応じて画像通信装置１０１の制御を行う。ＣＰＵ２０１はＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）によるプロトコル処理を行って、画像データをＴＣＰ／ＩＰフレームに組み込む際の制御を実行する。
【００２６】
ＲＡＭ２０３は、ＣＰＵ２０１が制御プログラムを実行する際のワークメモリとして用いられる。さらに、ＲＡＭ２０３はＣＰＵ２０１の制御下で画像データを送受信する際のバッファメモリとして用いられる。
【００２７】
スキャナＩ／Ｆ（インタフェース）制御部２０４は、スキャナ２０５を制御するためのものである。スキャナ２０５による原稿読み取りの結果得られた画像はスキャナＩ／Ｆ制御部２０４でデジタルデータ（画像データ）に変換される。そして、この画像データはＣＰＵ２０１の制御下でシステムバス２１８を介してＲＡＭ２０３に転送される。ＲＡＭ２０３に保存された画像データは、後述するように、送信されるか又は印刷に供される。
【００２８】
圧縮処理部２０６は、ＭＨ、ＭＲ、ＭＭＲ、又はＪＢＩＧ方式を用いた符号化・復号化処理部であり、画像データを送信する際には、画像データを符号化してデータ圧縮する。一方、符号化された画像データを受信した際には、圧縮処理部２０６は当該画像データを復号化する。
【００２９】
ＦＡＸモデム（ＦＭＤＭ）２０７は、ファックス送信を行う際、符号化された画像データを変調して、アナログ回線において伝送可能な音声帯域のアナログ信号に変換する。ファックス受信の際には、受信したアナログ信号を復調して符号化された画像データを出力する。
【００３０】
音声入出力部（ハンドセット）２０８は、音声を入力するマイク（図示せず）および音声を出力するスピーカ（図示せず）を有している。スイッチ２０９は、アナログスイッチであって、ＦＡＸモデム２０７および音声入出力部２０８のいずれかをコーディック（ＣＯＤＥＣ）２１０に接続する。
【００３１】
図示の例では、ＣＯＤＥＣ２１０は、音声信号又ははみなし音声信号として送受信されるファクシミリ信号のために、ＶｏＩＰ（Ｖｏｉｃｅ  ｏｖｅｒ  Ｉｎｔｅｒｎｅｔ  Ｐｒｏｔｏｃｏｌ）方式による符号化／復号化を行う。さらに、ＣＯＤＥＣ２１０は、Ｔ．３８インターネットファクシミリ信号（特に、トーン信号）を送受信するために必要な符号化／復号化を少なくともサポートするものとする。
【００３２】
キー操作部２１１は、ダイヤルおよびファクシミリ送受信の際に操作される操作ボタンなどを備えている。ユーザはキー操作部２１１を用いてキー指示を行う。パネル制御部２１２は、オペレーションパネル２１３に接続され、オペレーションパネル２１３を制御する。オペレーションパネル２１３には各種情報が表示されるとともに、ユーザから指示入力を受け付ける。
【００３３】
プリンタＩ／Ｆ制御部２１４は、ＣＰＵ２０１の制御下でプリンタ２１５を制御する。プリンタ２１５は、電子写真方式又はインクジェット方式など印字方式によって印刷を行う。プリンタＩ／Ｆ制御部２１４は画像データ画像データを印刷用ラスタデータに変換して、プリンタ２１５に与える。そして、プリンタ２１５は印刷用ラスタデータに応じて印刷を行う。
【００３４】
ＨＤＤ（ハードディスクドライブ）２１６には印刷データ（画像データ）が格納されるとともに、図２で説明した課金テーブルなどか格納される。
【００３５】
ネットワークＩ／Ｆ制御部２１７は、ＬＡＮコントローラであり、ＣＳＭＡ／ＣＤインタフェース１１０を介してＨＧＷ１０５とデータなどの送受信を行う。ＣＰＵ２０１が送信すべきデータをネットワークＩ／Ｆ制御部２１７に転送すると、ネットワークＩ／Ｆ制御部２１７は、当該送信すべきデータにＭＡＣ（Ｍｅｄｉａ  Ａｃｃｅｓｓ  Ｃｏｎｔｒｏｌ）フレームヘッダおよびＦＣＳ（Ｆｒａｍｅ  Ｃｈｅｃｋ  Ｓｅｑｕｅｎｃｅ）などを付加して、ＣＳＭＡ／ＣＤインタフェース１１０に送信する。
【００３６】
なお、ＣＰＵ２０１、ＲＯＭ２０２、ＲＡＭ２０３、スキャナＩ／Ｆ制御部２０４、圧縮処理部２０６、ＦＡＸモデム２０７，ＣＯＤＥＣ２１０、キー操作部２１１、パネル制御部２１２、プリンタＩ／Ｆ制御部２１４、ＨＤＤ２１６、およびネットワークＩ／Ｆ制御部２１７は相互にシステムバス２１８によって接続されている。
【００３７】
図４は、図３に示す画像通信装置１０１で行われる送信処理の一例を説明するためのフローチャートである。なお、ここでは、原稿をスキャナ２０５で読み取った結果得られた画像データをユーザ指定の宛先に送信する場合について説明する。
【００３８】
いま、ユーザがキー操作部２１１又はオペレーションパネル２１３を用いて、原稿読み取り・データ送信設定などを行うと、ＣＰＵ１０２はデータ送信処理を開始する。
【００３９】
データ送信処理が開始されると、スキャナＩ／Ｆ制御部２０４はＣＰＵ２０１の制御下で原稿をスキャナ２０５で読み取って画像データを得る。そして、この画像データはＲＡＭ２０３に転送されて一時的に記憶される（ステップＳ４０１）。複数枚の原稿を読み取る際には、一枚毎に原稿を読み取って、その画像データを圧縮処理部２０６で圧縮して、ＲＡＭ２０３に記憶することになる。
【００４０】
ＲＡＭ２０３に記憶された画像データはシステムバス２１８を介して圧縮処理部２０６に転送される。圧縮処理部２０６は、例えば、画像データをＪＢＩＧで圧縮した後、圧縮画像データとしてＲＡＭ２０３に記憶する。続いて、ＣＰＵ２０１は、ＲＡＭ２０３に記憶された圧縮画像データのデータ量に応じて通信データサイズを算出する（ステップＳ４０２）。
【００４１】
次に、ＣＰＵ２０１は、ＨＤＤ２１６（課金情報記憶手段）に記憶された課金テーブルを参照し、通信データサイズを使用帯域（伝送速度）で除算し、使用帯域毎にその通信時間を算出する（ステップＳ４０３）。なお、送信処理を開始するときに通信データサイズを使用帯域で除算する処理を行うことに代えて、通信データサイズ及び使用帯域に応じた通信時間を予めテーブルで管理しておいて、ステップＳ４０３でそのテーブルを参照するようにしてもよい。そして、ＣＰＵ２０１は、課金テーブルから取得した課金情報を元に、通信時間に基づいて使用帯域毎の利用料金を算出する（ステップＳ４０４）。
【００４２】
ＣＰＵ２０１は、使用帯域毎の利用料金を比較して、利用料金の最も安い（最も安価な）使用帯域を決定する（ステップＳ４０５）。その後、ＣＰＵ２０１はネットワークＩ／Ｆ制御部２１７を制御してＳＩＰによって宛先との接続動作を開始する（ステップＳ４０６）。そして、ＣＰＵ２０１はＩＴＵ−Ｔ勧告Ｔ．３８に規定のデジタルファクシミリ手順によってファクシミリ通信を行って（ステップＳ４０７）、データ通信処理を終了する。
【００４３】
なお、ＣＰＵ２０１は決定した使用帯域、送信処理中ステータス情報としてオペレーションパネル２１３に表示する。そして、ＣＰＵ２０１は送信処理終了の後、決定した使用帯域を通信履歴としてオペレーションパネル２１３に表示するようにしてもよい。
【００４４】
ここで、ＣＰＵ２０１で実行されるステップＳ４０２〜Ｓ４０５の処理について具体的に説明する。
【００４５】
前述のように、ＣＰＵ２０１は、ステップＳ４０２においてＲＡＭ２０３に記憶された圧縮画像データのデータ量（総量）を算出して、通信データサイズを得る。ここでは、通信データサイズが２０４８ｋビット（ｂｉｔ）であるとする。
【００４６】
図２に示す課金テーブルにおいて、使用帯域として６４ｋｂｐｓ、５１２ｋｂｐｓ、および１Ｍｂｐｓの一つを選択することができる。通信データサイズが２０４８ｋｉｔである場合、使用帯域が６４ｋｂｐｓでは、通信時間は３２秒となる。使用帯域が５１２ｋｂｐｓでは、通信時間は４秒となり、使用帯域が１Ｍｂｐｓでは、通信時間は２秒となる。
【００４７】
続いて、課金テーブルの課金情報を参照すると、使用帯域が６４ｋｂｐｓでは、通話料は２．０円となる。そして、使用帯域が５１２ｋｂｐｓでは、通話料は１．５円となり、使用帯域が１Ｍｂｐｓでは、通話料は２．０円となる。この結果、ＣＰＵ２０１は通信料が最も安い使用帯域は５１２ｋｂｐｓであると決定する。
【００４８】
一方、通信データサイズが１５３６ｋｂｉｔであると、同様にして、使用帯域が６４ｋｂｐｓでは、通信時間は２４秒となる。使用帯域が５１２ｋｂｐｓでは、通信時間は３秒となり、使用帯域が１Ｍｂｐｓでは、通信時間は１．５秒となる。そして、使用帯域が６４ｋｂｐｓでは、通話料は１．０円となる。使用帯域が５１２ｋｂｐｓでは、通話料は１．５円となり、使用帯域が１Ｍｂｐｓでは、通話料は２．０円となる。この結果、ＣＰＵ２０１は通信料が最も安い使用帯域は６４ｋｂｐｓであると決定する。
【００４９】
なお、図２に示す課金テーブルでは、課金情報が３０秒毎に増加する従量課金であるので、３０秒以内で通信が完了するか否かに応じて決定される使用帯域が異なることになる。
【００５０】
続いて、前述のステップＳ４０６およびＳ４０７で説明したＳＩＰについて詳細に説明する。
【００５１】
図５は、図３に示す画像通信装置１０１および１０２においてＳＩＰセッション確立の際の処理を説明するためのシーケンス図である。そして、図５（ａ）はオファーＳＤＰを含むＳＩＰ接続要求メッセージを送信してＳＩＰセッションを確立する際のシーケンス図であり、図５（ｂ）はオファーＳＤＰを含まないＳＩＰ接続要求メッセージを送信してＳＩＰセッションを確立する際のシーケンス図である。
【００５２】
ここでは、図１に示す画像通信装置１０２が宛先（宛先通信装置）を画像通信装置１０１としてデータ通信を行う場合について説明する。
【００５３】
ＳＩＰセッションでは、まず、送信側の装置（送信装置）がＳＩＰセッション確立要求（ＩＮＶＩＴＥ）を着信側の装置（受信装置）に送信する。受信装置においてはＩＮＶＩＴＥを受けるとその成功応答を送信装置に返信する。送信装置は成功応答を受信すると、受信装置に了解を送信する。この手順によってＳＩＰセッションが確立される。
【００５４】
この際、ＳＩＰセッションにおいて用いるメディアについては、送信装置と受信装置着信とが互いに希望するメディアを受信するためのポート番号などを記述したＳＤＰ（ＳｅｓｓｉｏｎＤｅｓｃｒｉｐｔｉｏｎ  Ｐｒｏｔｏｃｏｌ）を交換（ＳＤＰネゴシエーション）して決定する。
【００５５】
図５（ａ）において、画像通信装置１０２は、宛先である画像通信装置１０１に対してＳＩＰ接続要求メッセージ（ＩＮＶＩＴＥ）を送信する（ステップＳ５０１）。このＳＩＰ接続要求メッセージには、ＳＩＰセッションで利用したいメディア情報および受信ポート番号を記述したＳＤＰが含まれている。
【００５６】
図示の例では、ＳＤＰにおいて、ｍ＝ｉｍａｇｅ（画像）  ９０００  ＴＣＰと記述されているので、メディア種別がｉｍａｇｅで、ＴＣＰのポート番号９０００を用いてデータ通信を行うＳＩＰセッションを確立することが要求される。
【００５７】
画像通信装置１０１は、ＳＩＰ接続要求メッセージを受信すると、当該ＳＩＰ接続要求メッセージに含まれるオファーＳＤＰを調べる。そして、ＳＤＰに自装置で対応可能なメディア種別が記述されていれば、画像通信装置１０１は応答メッセージである２００  ＯＫメッセージを送信する（ステップＳ５０２）。
【００５８】
この２００  ＯＫメッセージには、画像通信装置１０１が受け入れるメディア種別と受信ポート番号とが記述されたＳＤＰが含まれる。図示の例では、ＳＤＰにおいて、ｍ＝ｉｍａｇｅ  ９０００  ＴＣＰと記述されている。従って、画像通信装置１０１は、メディア種別がｉｍａｇｅで、ＴＣＰのポート番号９０００を受信ポートとしてデータ通信を行うＳＩＰセッションを確立することに同意していることになる。
【００５９】
画像通信装置１０２は、２００  ＯＫメッセージを受信すると、２００  ＯＫメッセージを受信したことを示す了解（ＡＣＫ：Ａｃｋｎｏｗｌｅｄｇｅ）メッセージを送信する（ステップＳ５０３）。これによって、画像通信装置１０２と画像通信装置１０１との間で同意したメディア種別でデータ通信を行うためのＳＩＰセッションが確立する。
【００６０】
図５（ｂ）において、画像通信装置１０２は、画像通信装置１０１に対して、ＳＩＰ接続要求メッセージ（ＩＮＶＩＴＥ）を送信する（ステップＳ５０４）。このＳＩＰ接続要求メッセージには、前述のオファーＳＤＰは含まれていない。
【００６１】
画像通信装置１０１は、ＳＩＰ接続要求メッセージを受信すると、オファーＳＤＰが含まれているか否かについてチェックする。ここでは、ＳＩＰ接続要求メッセージにオファーＳＤＰが含まれていないので、画像通信装置１０１は自装置が対応可能なメディア種別と受信ポート番号とを記述したオファーＳＤＰを含めて２００  ＯＫメッセージを画像通信装置１０２に送信する（ステップＳ５０５）。
【００６２】
図示の例では、ＳＤＰにおいて、ｍ＝ｉｍａｇｅ  ９０００  ＴＣＰおよびｍ＝ａｕｄｉｏ（音声）  ５００４  ＵＤＰ（Ｕｓｅｒ  Ｄａｔａｇｒａｍ  Ｐｒｏｔｏｃｏｌ）が記述されている。つまり、画像通信装置１０１では、メディア種別がｉｍａｇｅでＴＣＰのポート番号９０００を利用したデータ通信とメディア種別がａｕｄｉｏでＵＤＰのポート番号５００４を利用したデータ通信との片方又は両方を行うＳＩＰセッションを確立することを要求していることになる。
【００６３】
画像通信装置１０２は、２００  ＯＫメッセージを受信すると、２００  ＯＫに含まれるオファーＳＤＰを調べる。そして、ＳＤＰにおいて、自装置で対応可能なメディア種別が記述されていれば、画像通信装置１０１は２００  ＯＫメッセージを受信したことを示すＡＣＫメッセージを、画像通信装置１０１に送信する（ステップＳ５０６）。
【００６４】
このＡＣＫメッセージに、画像通信装置１０２が受け入れるメディア種別および受信ポート番号を記述したＳＤＰが含まれる。図示の例では、ＳＤＰにおいて、ｍ＝ｉｍａｇｅ  ９０００  ＴＣＰと記述されているので、画像通信装置１０２はメディア種別がｉｍａｇｅでＴＣＰのポート番号９０００を受信ポートとしてデータ通信を行うＳＩＰセッションを確立することに同意していることになる。
【００６５】
これによって、画像通信装置１０２と画像通信装置１０１との間で同意したメディア種別でデータ通信を行うためのＳＩＰセッションが確立される。
【００６６】
ところで、ＣＰＵ２０１で決定された使用帯域が６４ｋｂｐｓ又は５１２ｋｂｐｓである場合、例えば、ＳＤＰにｂ＝ＡＳ：６４又はｂ＝ＡＳ：５１２のような記述を行うようにしてもよい。
【００６７】
このようにして、ＳＩＰメッセージには、ｍ行／ａ行（後述する）／ｂ行と呼ぶＳＤＰ情報が格納され、メディアの種別（音声，映像，データ）、通信方式（双方向又は片方向）、その他各種パラメータ（後述する）が記述される。
【００６８】
ＳＩＰにおいては、図１に示すＳＩＰサーバ１０４を介して画像通信装置１０２と画像通信装置１０１との間で、両者が同意したメディア種別でデータ通信を行うＳＩＰセッションを確立される呼制御処理が行われる。この際、ＳＩＰサーバ１０４はＳＩＰメッセージからＳＤＰ情報を読み取って、呼制御処理と並行して、ＮＧＮ１０８の使用帯域を決定する処理を行う。
【００６９】
上述の例では、ＣＰＵ２０１は使用帯域を決定する際、通信料が最も安い使用帯域を選択するようにしたが、この際には、送信側である画像通信装置が、決定した使用帯域以上、つまり、伝送速度以上の送信能力を備えていることが望ましい。この条件が満たされる場合に、ＣＰＵ２０１で決定されたＮＧＮの使用帯域を十分に生かした画像通信を行うことができる。
【００７０】
従って、送信側である画像通信装置の送信能力を十分に生かすためには、例えば、ＨＤＤ２１６に予め記憶して、ＣＰＵ２０１が使用帯域を決定する際、送信能力を上回る使用帯域を対象外として考慮しないようにしてもよい。
【００７１】
また、着信側である画像通信装置の受信能力についても、送信側である画像通信装置で予め把握して、同様にＨＤＤ２１６に記憶するようにしてもよい。そして、ＣＰＵ２０１が使用帯域を決定する際、着信側である画像通信装置の送信能力を上回る使用帯域を対象外として考慮しないようにしてもよい。
【００７２】
さらに、上述の例では、ＣＰＵ２０１で決定される使用帯域はその通信料が最も安い使用帯域であるが、ユーザの使用環境に応じて使用帯域を制限するようにしてもよい。例えば、原稿の種類および枚数によっては、ほとんど選択されることが稀な使用帯域がある場合には当該使用帯域を対象外として考慮しないようにしてもよい。さらには、ユーザが通信料よりも通信時間を優先させる指定を行った場合には、ＣＰＵ２０１は当該指定に応じて使用帯域の選択を行うようにする。
【００７３】
具体的には、白黒画像データを送信する際には、１Ｍｂｐｓの使用帯域を選択することは稀であるため、当該使用帯域を選択の対象外にする。また、カラー画像データを送信する際には、通信時間を優先するため指定が行われると、ＣＰＵ２０１は６４ｋｂｐｓの使用帯域を選択の対象外とするようしてもよい。
【００７４】
なお、図２に示す課金テーブルでは、３種類の使用帯域が登録されているが、使用帯域はこの３種類に限らず、複数の使用帯域を登録するようにすればよい。
【００７５】
図６は、図３に示す画像処理装置１０１で行われる送信処理の他の例を説明するためのフローチャートである。なお、図６に示すフローチャートにおいて、図４に示すステップと同一のステップについては同一の参照符号を付して説明を省略する。
【００７６】
ステップＳ４０６において、図５で説明したようにして、ＳＩＰセッションの確立が行われる（相手先との接続）。続いて、ＣＰＵ２０１は当該データ通信がＩＴＵ−Ｔ勧告Ｔ．３８に規定のファクシミリ通信であるか否かを判定する（ステップＳ６０１）。なお、ここでは、ＳＤＰにおいて、ｍ＝ｉｍａｇｅで９０００  ＴＣＰである場合に、当該データ通信はＩＴＵ−Ｔ勧告Ｔ．３８によるファクシミリ通信を指定していることになる。
【００７７】
ファクシミリ通信であると判定すると（ステップＳ６０１において、ＹＥＳ）、ＣＰＵ２０１はＳＤＰにおけるメディアストリーム記述を拡張表現したより詳細なパラメータ情報（送信パラメータ情報ともいう）を取得する（ステップＳ６０２）。
【００７８】
図７は、図３に示す通信処理装置１０１においてＩＴＵ−Ｔ勧告Ｔ．３８によるファクシミリ通信を宣言する際のＳＤＰのメディアストリームの記述の一例を示す図である。
【００７９】
前述のように、ＳＤＰにおいて、ｍ＝ｉｍａｇｅ  ９０００  ＴＣＰと記述すると、メディア種別がｉｍａｇｅ（画像）でＴＣＰのポート番号９０００を受信ポートとしてデータ通信を行うＳＩＰセッションの確立が宣言される。
【００８０】
さらに、ここでは、次の構文によって画像通信に用いる画像通信制御パラメータが宣言される。つまり、ここでは、”ａ＝ｉｓｏ＿ａ４  ｉｓｏ＿ｂ４  ４００  ｍｒ  ｂ／ｗ  １ｍ”によって画像通信に用いる画像通信制御パラメータが宣言される。
【００８１】
図示の例では、”ｉｓｏ＿ａ４”および”ｉｓｏ＿ｂ４”はそれぞれＡ４サイズおよびＢ４の記録紙サイズであることを意味する。この構文は送信又は受信画像の原稿サイズの宣言にも用いることもできるが、その場合には、サイズは通常１種類のみが指定する。
【００８２】
さらに、”４００”は送信又は受信画像の解像度が４００ｄｐｉであることを意味し、”ｍｒ”は処理可能な画像圧縮方式がＭＲであることを意味する。さらに、”ｂ／ｗ”は白黒画像であることを意味し、”１ｍ”は送信又は受信速度が１Ｍｂｐｓであることを意味する。
【００８３】
このようにして、送信側の通信処理装置と着信側の通信処理装置との同意によってＳＩＰセッションが確立され、さらに、画像通信制御パラメータを取得する。そして、ＣＰＵ２０１はＲＡＭ２０３に格納した圧縮画像データが画像通信制御パラメータに整合するか否かを判定する（ステップＳ６０３）。
【００８４】
圧縮画像データが画像通信制御パラメータに整合しないと判定すると（ステップＳ６０３において、ＮＯ）、ＣＰＵ２０１は当該圧縮画像データの再構成を行う（ステップＳ６０４）。ここで、圧縮画像データの再構成とは、圧縮画像データを画像制御パラメータに整合させるための画像処理である。つまり、ＣＰＵ２０１は、画像制御パラメータに応じて圧縮画像データの画像処理を行う。
【００８５】
例えば、画像制御パラメータが白黒画像を指定している際、圧縮画像データがカラー画像データであれば、ＣＰＵ２０１は圧縮画像データを白黒画像データに変換する。画像制御パラメータで指定された解像度が圧縮画像データの解像度と異なると、ＣＰＵ２０１は圧縮画像データ解像度を変更する。さらに、画像制御パラメータで指定された圧縮方式が圧縮画像データの圧縮方式と異なると、ＣＰＵ２０１は圧縮画像データの圧縮方式を変更する。
【００８６】
続いて、前述のようにして決定した使用帯域よりも受信側通信処理装置の受信能力（つまり、受信伝送速度）が低いと、ＣＰＵ２０１は当該受信能力に適合する使用帯域に変更する（ステップＳ６０５）。つまり、前述のようにして決定した使用帯域を用いても、その伝送速度でファクシミリ通信を行うことができないため、ＣＰＵ２０１は使用帯域を受信能力に適合する使用帯域に変更することになる。その後、ＣＰＵ２０１はネットワークＩ／Ｆ処理部２１７を制御して、Ｔ．３８によるファクシミリ通信を行って（ステップＳ６０６）、送信処理を終了する。
【００８７】
なお、圧縮画像データの再構成を行った場合には、発信側の画像通信装置における送信能力が、前述のようにして決定した使用帯域よりも低くなることがある。この場合にも、ＣＰＵ２０１は送信能力に適合するように使用帯域を変更する。また、圧縮画像データが画像通信制御パラメータに整合すると判定すると（ステップＳ６０３において、ＹＥＳ）、ＣＰＵ２０１はステップＳ６０５の処理に進んで、必要に応じて使用帯域を変更する。
【００８８】
ステップＳ６０１において、ファクシミリ通信でないと判定すると（ステップＳ６０１において、ＮＯ）、つまり、ｉｍａｇｅによるＳＩＰセッションの確立ができないと、ＣＰＵ２０１は音声（ａｕｄｉｏ）によるＳＩＰセッションを確立することができるか否かを判定する（ステップＳ６０７）。
【００８９】
例えば、図５（ｂ）のステップＳ５０５で説明したＳＤＰにおいて、ｍ＝ａｕｄｉｏ、５００４  ＵＤＰが記述されていると、当該ａｕｄｉｏはみなし音声によるＴ．３０に規定のファクシミリ通信を意味する。このため、ａｕｄｉｏ、つまり、みなし音声によるＴ．３０に規定のファクシミリ通信が可能であると判定すると（ステップＳ６０７において、ＹＥＳ）、ＣＰＵ２０１はａｕｄｉｏでＳＩＰセッションの確立を行う。つまり、ＣＰＵ２０１はみなし音声でＳＩＰセッションの確立を行うことになる（ステップＳ６０８）。
【００９０】
次に、みなし音声でファクシミリ通信を行う場合には、ＣＰＵ２０１はＲＡＭ２０３に格納された圧縮画像データの再構成を行う（ステップＳ６０９）。ここでは、ＣＰＵ２０１は圧縮画像データ圧縮処理部２０６で復号化した後、ＣＯＤＥＣ２１０でみなし音声とする。つまり、ＣＰＵ２０１はＶｏＩＰ方式の符号化処理を行うことになる。
【００９１】
圧縮画像データの再構成を行った後、ＣＰＵ２０１はネットワークＩ／Ｆ処理部２１７を制御して、みなし音声によるＴ．３０に規定のファクシミリ通信を行う（ステップＳＳ６１０）。そして、ＣＰＵ２０１は送信処理を終了する。
【００９２】
みなし音声によるＴ．３０に規定のファクシミリ通信ができないと判定すると（ステップＳ６０７において、ＮＯ）、ＣＰＵ２０１は送信処理を終了する。
【００９３】
このように、本発明の実施の形態では、ＮＧＮのように使用帯域によってその利用料金が異なるネットワークでデータ送信を行う際において、その利用料金および通信時間を考慮して所望の使用帯域を容易に選択することができる。その結果、通信時間を考慮しつつ、通信費の適正化を図ることができる。
【００９４】
上述の説明から明らかなように、図３に示す例では、ＣＰＵ２０１が取得手段および決定手段として機能する。さらに、ＣＰＵ２０１およびネットワークＩ／Ｆ制御部２１７などはセッション確立手段として機能し、ＣＰＵ２０１はパラメータ取得手段および構成変更手段としても機能する。
【００９５】
なお、上述の実施の形態では、通信装置の一例として、画像通信装置を例に挙げて説明したが、ＮＧＮのように使用帯域によってその利用料金が異なるネットワークを用いて情報などのデータ送信を行う通信機器であれば、同様にして本発明を適用することができる。
【００９６】
以上、本発明について実施の形態に基づいて説明したが、本発明は、これらの実施の形態に限定されるものではなく、この発明の要旨を逸脱しない範囲の様々な形態も本発明に含まれる。
【００９７】
例えば、上記の実施の形態の機能を制御方法として、この制御方法を通信装置に実行させるようにすればよい。また、上述の実施の形態の機能を有するプログラムを制御プログラムとして、この制御プログラムを通信装置が備えるコンピュータに実行させるようにしてもよい。なお、制御プログラムは、例えば、コンピュータに読み取り可能な記録媒体に記録される。
【００９８】
この際、制御方法および制御プログラムの各々は、少なくとも取得ステップおよび決定ステップを有することになる。
【００９９】
また、本発明は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【符号の説明】
【０１００】
１０１〜１０３画像通信装置
１０４  ＳＩＰサーバ
１０５，１０６  ホームゲートウェイ（ＨＧＷ）
１０７  メディアゲートウェイ（メディアＧＷ）
１０８  次世代ネットワーク（ＮＧＮ）
１０９  公衆交換電話網（ＰＳＴＮ）
１１０，１１１  ＣＳＭＡ／ＣＤインタフェース
２０１  ＣＰＵ
２０６  圧縮処理部
２１７  ネットワークＩ／Ｆ制御部
【図１】
2013115704.tif 000003
【図２】
2013115704.tif 000004
【図３】
2013115704.tif 000005
【図４】
2013115704.tif 000006
【図５】
2013115704.tif 000007
【図６】
2013115704.tif 000008
【図７】
2013115704.tif 000009